(57)【特許請求の範囲】
【請求項１】
四角形断面としてその上部をアーチ状の如く上方へ膨らませ且つ内側の周壁部所要位置に補強用のリブを内側へ突出するように一体成形して曲率中心が上方に位置するように湾曲形成した円弧状の細長いパイプと、該パイプの両端にパッキンを介し且つ上記パイプの内側へ突出しているリブの端部に長手方向にビスをねじ込むようにして着脱可能に取り付けた端面板とからケーシングを構成して、該ケーシング内に、上記パイプの断面形状と対応する如き形状とした制振体を長手方向へ移動自在に収納させてなり、且つ上記ケーシングを搬器上に、搬器の揺れる方向へ向けて搭載させるようにしたことを特徴とする索道における搬器用制振装置。
【請求項２】
制振体の下面に凹部を形成し、搬器上へのケーシングの搭載時にパイプの底部のねじ孔に貫通螺着して上記凹部に嵌入させるためのストッパーピンを備え、且つ上記搬器上にケーシングを搭載した後に上記ストッパーピンを取り外して盲プラグを上記ねじ孔に螺着させておくようにした請求項１記載の索道における搬器用制振装置。
【請求項３】
制振体に車輪及びサイドローラと移動方向両端面にバッファを取り付けると共に、該制振体の上部位置にパイプの上部内面に対するバッファを通常作動時に該パイプの上部内面に非接触となるように取り付けた請求項１又は２記載の索道における搬器用制振装置。
【請求項４】
制振体の上部に収納部を凹設して、該収納部に乾燥剤を収納して取り付けた請求項１、２又は３記載の索道における搬器用制振装置。
【発明の詳細な説明】
【０００１】
【発明の属する技術分野】
本発明は索道におけるスキーリフトやゴンドラの如き搬器に搭載して該搬器の揺れを抑制するために用いる搬器用制振装置に関するものである。
【０００２】
【従来の技術】
山岳地方では、旅客、貨物、鉱石等を運搬する設備として索道は重要な役目を果している。
【０００３】
今、一例としてスキー場で用いられている索道について見ると、図１０（イ）（ロ）にその一例の概略を示す如く、搬器フレーム２に座席３を一体に組み付けてなる搬器１における上記搬器フレーム２の上端部を、ケーブル５から吊るしたサスペンダー４に吊金具６を介して吊り下げ支持させ、上記ケーブル５を移動させることにより搬器１を移動させて乗客を運搬するようにしてある。
【０００４】
上記索道では、風が強くなると、図１０（イ）において矢印Ｘで示す如く、搬器１にケーブル５を支点とした振り子運動の如き左右方向の横揺れが発生するという特性がある。
【０００５】
そのため、最近、ビルや鉄塔等で用いられている単弦運動方式のパッシブ型制振装置が採用されるようになってきている。この制振装置は、図１１（イ）（ロ）に示す如く、曲率中心が上方向に位置するように所要の曲率で湾曲形成した左右方向に長い円弧状の底板７上に、前後の側板８と左右の端面板９とを設けると共に、これら前後の側板８と左右の端面板９とで囲まれる空間の上面を上板１０で塞ぐようにして中空の細長いケーシング１１を形成し、該ケーシング１１内に、制振体（錘り）１２を、車輪１３を介して底板７の長手方向に沿い移動（揺動）自在に収納させ、更に、上記制振体１２の側面部に、側板８の内面に接して転動するようにしたサイドローラ１４を設けると共に、制振体１２の移動方向両端面にバッファ１５を取り付けた構成としてあり、図１０（イ）において二点鎖線で示す如く、搬器１の搬器フレーム２に、上記ケーシング１１を、搬器１が主として揺れる方向となる左右方向（矢印Ｘ方向）へ向けて据え付けて固定し、搬器１に左右方向の揺れが発生したときに上記制振体１２が車輪１３とサイドローラ１４の転動を介してケーシング１１内を長手方向に反復移動させられるようにしたものである。
【０００６】
上記制振装置の場合、底板７の曲率を適正に選定しておくことにより、搬器１の固有周期に制振体１２の固有周期を一致させることができる。すなわち、制振体１２の固有周期Ｔは、振り子の式より、Ｔ＝２π（Ｒ／ｇ）1/2 として求めることができることから、Ｒ（底板７の曲率半径）を決めればＴを決定できる。よって、搬器１の固有周期Ｔ0 が明確であればＲを決定でき、Ｒで決まる固有周期Ｔで制振体１２は単弦運動を行うことになり、搬器１の周期と制振体１２は共振するので制振体１２は大ストロークが実現できて、大きな制振効果を得ることができる。
【０００７】
【発明が解決しようとする課題】
ところが、上記制振装置の場合には、次の如き問題がある。
▲１▼底板７や側板８、上板１０等をそれぞれ別個に湾曲形成してケーシング１１を組み立てるので、ケーシング１１の製作コストが高く、又、上板１０はケーシング１１の気密性を確保すべく、シールパッキンを用いて多数のビスによって取り付けることになるため、メンテナンス時に上板１０の着脱作業が大変である。
▲２▼ケーシング１１の断面形状が単純四角形であるため、上板１０の上に雪が積もり易いので、積雪荷重がケーシング１１を介して搬器１に作用すると、制振体１２の固有周期と搬器１の固有周期とにずれが生じ、制振効果が低減してしまうことになる。
▲３▼制振体１２はケーシング１１内で移動自在としてあることから、ケーシング１１を搬器１に据え付けるとき等に、制振体１２が移動して片荷になり易く、その取り扱いが大変である。
▲４▼搬器１が大きく揺れると、制振体１２には２ｇ〜３ｇの重力加速度が作用するので、制振体１２はケーシング１１内で跳ね上がることがあり、この跳ね上がりにより上板１０に衝突して上板１０を傷付けることがある。
▲５▼スキー場等の低温環境下では、ケーシング１１内に存在する空気中の水分が結露して凍結するため、たとえば、車輪１３が底板７に固着してしまったり、サイドローラ１４が側板８に固着してしまったり、あるいは、車輪１３やサイドローラ１４の軸の部分が固着してしまったりすることにより、制振体１２が作動不良を起す虞がある。
【０００８】
そこで、本発明は、ケーシングを安価に製作でき、メンテナンスを容易に行うことができ、積もった雪を容易に落下させることができ、据え付け時の取り扱いを簡単に行うことができ、制振体の跳ね上がりによる損傷事故を防止することができ、凍結による制振体の作動不良を防止することができるようにしようとするものである。
【０００９】
【課題を解決するための手段】
本発明は、上記課題を解決するために、四角形断面としてその上部をアーチ状の如く上方へ膨らませ且つ内側の周壁部所要位置に補強用のリブを内側へ突出するように一体成形して曲率中心が上方に位置するように湾曲形成した円弧状の細長いパイプと、該パイプの両端にパッキンを介し且つ上記パイプの内側へ突出しているリブの端部に長手方向にビスをねじ込むようにして着脱可能に取り付けた端面板とからケーシングを構成して、該ケーシング内に、上記パイプの断面形状と対応する如き形状とした制振体を長手方向へ移動自在に収納させてなり、且つ上記ケーシングを搬器上に、搬器の揺れる方向へ向けて搭載させるようにした構成とする。
【００１０】
パイプは湾曲形状とする引き抜き加工が容易であり、このパイプに端面板を取り付けるだけでケーシングを組み立てることができるため、ケーシングを低コストで製作することができ、しかもメンテナンス時には端面板を取り外すが、ビスは少ないのでメンテナンスを容易に行うことができる。
【００１１】
又、パイプの内側の周壁部所要位置に、長手方向に沿う補強用のリブを内側へ突出するように一体成形し、該リブの端部にビスをねじ込むようにして端面板を取り付けるようにした構成としてあるので、パイプの薄肉化、軽量化を図ることができて有利となる。
【００１２】
更に、パイプの上部をアーチ状の如く上方へ膨らむ形状とした構成としてあることにより、積もった雪を落下させ易くすることができる。
【００１３】
一方、制振体の下面に凹部を形成し、搬器上へのケーシングの搭載時にパイプのねじ孔に貫通螺着して上記凹部に嵌入させるためのストッパーピンを備えた構成とすることによって、制振体の位置が固定されることから、据え付け時の取り扱いが容易となる。
【００１４】
又、制振体に車輪及びサイドローラと移動方向両端面にバッファを取り付けると共に、該制振体の上部位置にパイプの上部内面に対するバッファを通常作動時に該パイプの上部内面に非接触となるように取り付けた構成とした場合には、制振体が作動時に跳ね上がったとしてもパイプを傷付けることがなくなる。
【００１５】
更に、制振体の上部に収納部を凹設して、該収納部に乾燥剤を収納して取り付けた構成とすると、乾燥剤によりケーシング内の空気中の水分が吸着除去されることから、凍結が防止され、制振体に作動不良を起すことがなくなる。
【００１６】
【発明の実施の形態】
以下、本発明の実施の形態を図面を参照して説明する。
【００１７】
図１乃至図６は本発明の実施の一形態を示すもので、上部１６ａをアーチ状の如く上方へ膨らむ形状として曲率中心が上方に位置するように所要の曲率で湾曲形成した円弧状の細長いパイプ１６と、該パイプ１６に、シールパッキン１７を介しビス１８にて着脱可能に取り付けた端面板１９とによりケーシング２０を構成し、該ケーシング２０内に、上記パイプ１６の断面形状と対応する如き形状とした制振体（錘り）２１を、車輪１３及びサイドローラ１４の転動を介して長手方向に沿い移動（揺動）自在に収納させ、制振体２１の移動方向両端面にバッファ１５を取り付けると共に、制振体２１の上部位置に、パイプ１６の上部１６ａに対するバッファとして、制振体２１の通常作動時に上部１６ａの内面に非接触となるようにゴムローラ２２を取り付け、且つ上記制振体２１の上面部に乾燥剤２３を取り付け、更に、上記制振体２１の下面部中央に凹部２４を形成すると共に、該凹部２４に対応させてパイプ１６の底部１６ｂの中央部にねじ孔３０を設け、該ねじ孔３０に貫通螺着させたストッパーピンとしてのボルト２５の先端部を、上記凹部２４内に嵌入させて制振体２１の位置を固定できるようにする。
【００１８】
上記パイプ１６は引き抜き加工により成形してあり、且つ周壁部所要位置に長手方向に沿う補強用のリブ１６Ａを一体成形し、該リブ１６Ａの端部に、図５に拡大して示す如く、端面板１９のビス１８をねじ込むようにしてある。
【００１９】
上記乾燥剤２３は、ケーシング２０内の空気中の全水分を吸着してケーシング２０内を乾燥させるに必要充分な量とし、図６に拡大して示す如く、制振体２１の上面に凹設した収納部２６内に収納させ、その上面にパンチングメタル２７を配してビス２８で固定するようにしてある。
【００２０】
かかる構成とした制振装置を、たとえば、スキー場で用いられている索道に採用する場合には、図７に示す如く、ケーシング２０を搬器１の揺れる方向に向け、両端部を搬器フレーム２にそれぞれクランプ具２９を用いて据え付けるようにする。この際、図４に拡大して示す如く、パイプ１６の底部１６ｂのねじ孔３０にボルト２５を貫通螺着させ、その先端部を制振体２１の下面部に形成しておいた凹部２４内に挿通位置させて、制振体２１の移動を拘束させた状態として据え付け作業を行う。搬器フレーム２を据え付けた後は、上記ボルト２５を取り外し、ねじ孔３０に盲プラグ（図示せず）をねじ込んで閉塞させるようにする。
【００２１】
本発明においては、ケーシング２０を、引き抜き加工による細長いパイプ１６と、該パイプ１６の両端を塞ぐ端面板１９とから構成しているので、ケーシング２０を低コストで製作することができ、しかも上記端面板１９はパイプ１６の端面に対し数本のビス１８を用いるだけで取り付け、取り外しを行うことができるので、制振体２１の取り出しが簡単であり、メンテナンスを容易に行うことができる。
【００２２】
又、上記ビス１８の取付部は、パイプ１６に一体成形した補強用のリブ１６ａの端部を利用しているので、パイプ１６の薄肉化を図ることができ、ケーシング２０を軽量なものとすることができる。
【００２３】
更に、上記パイプ１６の上部１６ａはアーチ状の如く上方へ膨らむ形状としてあることから、雪が積もりにくく、積もったとしても落下させ易くすることができる。したがって、固有周期に狂いを生じさせにくくすることができ、制振効果を良好に維持させることができる。
【００２４】
上記の状態において、搬器１に左右方向の揺れが発生すると、制振体２１は長手方向に沿い車輪１３を介して反復移動させられるが、この際、制振体２１に跳ね上がりが発生したとしても、制振体２１の上部位置にはバッファとしてのゴムローラ２２が取り付けてあるため、このゴムローラ２２により、パイプ１６の上部１６ａ内面への衝突力を緩衝することができる。したがって、パイプ１６の上部１６ａに損傷を与えてしまうことを防止することができる。
【００２５】
更に、本発明においては、ケーシング２０内の空気中の全水分を吸着させるに充分な量の乾燥剤２３が制振体２１の上面部に取り付けてあるため、ケーシング２０内を乾燥させることができる。したがって、低温環境下で使用してもケーシング２０内の空気中の水分の結露、凍結をなくすことができ、制振体２１の作動不良を防止することができる。
【００２６】
次に、図８はケーシング２０を構成するパイプ１６の他の形状例を示すもので、上部１６ａを切妻屋根状の如く上方へ膨らむ形状としたものである。
【００２７】
図８に示すようなパイプ１６の上部１６ａの形状を採用しても、積雪を落下させる上での有意性を保持することができる。
【００２８】
又、図９はパイプ１６の上部１６ａ内面に対するバッファの他の例を示すもので、乾燥剤２３を制振体２１の上面部の収納部２６に収納させるために用いたパンチングメタル２７の取付用ビス２８を利用し、該ビス２８部にゴムブロック３１を取り付けるようにしたものである。
【００２９】
図９に示すように構成しても、制振体１２の跳ね上がりによるパイプ１６の上部１６ａの損傷を防止することができる。
【００３０】
なお、上記実施の形態では、ケーシング２０をスキーリフトの搬器１に据え付ける場合を示したが、ゴンドラに対しても、ゴンドラの屋根部等へ搭載することにより採用できること、その他本発明の要旨を逸脱しない範囲内において種々変更を加え得ることは勿論である。
【００３１】
【発明の効果】
以上述べた如く、本発明の索道における搬器用制振装置によれば、次の如き種々の優れた効果を発揮する。
（１）四角形断面としてその上部をアーチ状の如く上方へ膨らませ且つ内側の周壁部所要位置に補強用のリブを内側へ突出するように一体成形して曲率中心が上方に位置するように湾曲形成した円弧状の細長いパイプと、該パイプの両端にパッキンを介し且つ上記パイプの内側へ突出しているリブの端部に長手方向にビスをねじ込むようにして着脱可能に取り付けた端面板とからケーシングを構成して、該ケーシング内に、上記パイプの断面形状と対応する如き形状とした制振体を長手方向へ移動自在に収納させてなり、且つ上記ケーシングを搬器上に、搬器の揺れる方向へ向けて搭載させるようにした構成としてあるので、パイプに端面板を取り付けることでケーシングを構成することができて、ケーシングを低コストで製作することができ、しかも、メンテナンス時には端面板を取り外せば制振体を取り出すことができることから、メンテナンスを容易に行うことができる。
（２）パイプの内側の周壁部所要位置に、長手方向に沿う補強用のリブを内側へ突出するように一体成形し、該リブの端部にビスをねじ込むようにして端面板を取り付けるようにした構成とすることにより、パイプの薄肉化を図ることができてケーシングの軽量化を図ることができる。
（３）パイプの上部をアーチ状の如く上方へ膨らむ形状とした構成とすることにより、ケーシング上に積もった雪を落下させ易くすることができ、積雪による固有周期の狂いを生じにくくすることができる。
（４）制振体の下面に凹部を形成し、搬器上へのケーシングの搭載時にパイプのねじ孔に貫通螺着して上記凹部に嵌入させるためのストッパーピンを備えた構成とすると、ストッパーピンにより制振体の位置を固定することができることから、据え付け時の取り扱いを楽にすることができる。
（５）制振体に車輪及びサイドローラと移動方向両端面にバッファを取り付けると共に、該制振体の上部位置にパイプの上部内面に対するバッファを通常作動時に該パイプの上部内面に非接触となるように取り付けた構成とすることによって、制振体が跳ね上がって上部へ衝突する事態が発生しても、バッファにて緩衝することができ、制振体の跳ね上がりによる損傷事故を防止することができる。
（６）制振体の上部に収納部を凹設して、該収納部に乾燥剤を収納して取り付けた構成とすると、ケーシング内の空気中に存在する水分を乾燥剤により乾燥させることができ、したがって、低温環境下で使用しても水分の結露、凍結を防止することができ、制振体の作動不良を防止することができる。
【図面の簡単な説明】
【図１】本発明の索道における搬器用制振装置の実施の一形態を示す切断正面図である。
【図２】図１のII-II 線拡大矢視図である。
【図３】図１のIII-III 線拡大矢視図である。
【図４】図１のIV部拡大図である。
【図５】図１のＶ部拡大図である。
【図６】図１のVI部拡大図である。
【図７】搬器への採用例を示す概要図である。
【図８】パイプの他の形状例を示す概略図である。
【図９】バッファとして用いるゴムブロックの取付要領を示す拡大図である。
【図１０】索道の一例を示すもので、（イ）は搬器の正面図、（ロ）は搬器の側面図である。
【図１１】従来の制振装置の一例を示すもので、（イ）は一部切断正面図、（ロ）は切断側面図である。
【符号の説明】
１  搬器
１３ 車輪
１４ サイドローラ
１５ バッファ
１６  パイプ
１６ａ  上部
１６ｂ 底部
１６Ａ リブ
１７  シールパッキン
１８  ビス
１９  端面板
２０  ケーシング
２１  制振体
２２  ゴムローラ（バッファ）
２３  乾燥剤
２４ 凹部
２５  ボルト（ストッパーピン）
２６ 収納部
３０ ねじ孔
【図１】
0003776179.tif 000002
【図２】
0003776179.tif 000003
【図３】
0003776179.tif 000004
【図４】
0003776179.tif 000005
【図５】
0003776179.tif 000006
【図６】
0003776179.tif 000007
【図７】
0003776179.tif 000008
【図８】
0003776179.tif 000009
【図９】
0003776179.tif 000010
【図１０】
0003776179.tif 000011
【図１１】
0003776179.tif 000012